(57)【要約】      （修正有）【課題】保温効果を有する置物容器を提供する。【解決手段】置物容器１００内に容置空間１０が定義され、容置空間内に、位置決め空間２０が設けられる。容置空間は、内部に位置決め空間を有する支持骨組み１と、位置決め空間内に設けられる保温装置２とを備え、支持骨組みは、位置決め空間を定義できる数個の縦向き支柱１１と、横向き支柱１２と、垂直支柱１３と、三方継手１４とを備える。保温装置に少なくとも一つの片状袋体と、片状袋体に対応して設けられる位置決め部材とを有し、片状袋体２１ａ〜２１ｅが液体を装填するために使われ、位置決め部材で片状袋体が位置決め空間の対応側面に移動しないように固定される。片状袋体の中に液体を収容するための流道２１１を有し、且つ流道の一端に、液注入装置と配合して応用し、液体の出入を制御するための一方向弁が設けられる、ことを特徴とする。【選択図】図１
0003197692.tif 000002
【実用新案登録請求の範囲】
【請求項１】
置物容器内に容置空間が定義され、
当該容置空間内に、位置決め空間を有する支持骨組みと、当該位置決め空間の中に設けられる保温装置が設けられ、
当該支持骨組みは、当該位置決め空間を定義できる数個の縦向き支柱と、横向き支柱と、垂直支柱と、三方継手とを備え、当該横向き支柱が当該縦向き支柱の対応端の間に垂設され、当該垂直支柱が当該横向き支柱及び当該縦向き支柱に垂直にされ、当該三方継手が当該支持骨組みの各片隅に設けられ、且つ当該垂直支柱と、当該横向き支柱と、当該縦向き支柱と別々に連接され、
当該保温装置に少なくとも一つの片状袋体と、当該片状袋体に対応して設けられる位置決め部材とを有し、当該片状袋体が液体を装填するために使われ、当該位置決め部材で当該片状袋体が当該位置決め空間の対応側面に移動されないように固定され、当該片状袋体の中に液体を収容するための流道を有し、且つ当該流道の一端に、液注入装置と配合して応用し、液体の出入を制御するための一方向弁が設けられ、
当該位置決め部材は、当該片状袋体が当該縦向き支柱や当該横向き支柱の少なくとも一つの側辺に近くにある位置に設けられる片体部と、当該片体部が当該縦向き支柱や当該横向き支柱を回られることで当該片状袋体がぶら下げられて定位されるための一組の面ファスナー[Velcro（登録商標）]とを備える、ことを特徴とする保温効果を有する置物容器。
【請求項２】
置物容器内に容置空間が定義され、
当該容置空間内に、内部に位置決め空間を有する支持骨組みと、当該位置決め空間内に設けられる保温装置が設けられ、
当該支持骨組みは、当該位置決め空間を定義するようにする数個の縦向き支柱と、横向き支柱と、垂直支柱と、三方継手とを備え、当該横向き支柱が当該縦向き支柱の対応端の間に垂設され、当該垂直支柱が当該縦向き支柱及び当該横向き支柱に垂直にされ、当該三方継手が当該支持骨組みの各片隅に設けられ、且つ当該縦向き支柱と、当該横向き支柱と、当該垂直支柱と別々に連接され、
当該保温装置に少なくとも一つの片状袋体と、当該片状袋体に対応して設けられる位置決め部材とを有し、当該片状袋体が液体を装填するために使われ、当該位置決め部材で当該片状袋体が当該位置決め空間の対応側面に移動されないように固定され、当該片状袋体の中に液体を収容するための流道を有し、且つ当該流道の一端に、液注入装置と配合して応用し、液体の出入を制御するための一方向弁が設けられ、
当該位置決め部材は、当該片状袋体を収容し、当該片状袋体を当該位置決め空間の対応側面に移動されないように固定し、且つ防水機能を有する数個の防水袋を備え、当該防水袋の一側の端に、開け口が設けられ、当該開け口に片状蓋体が設けられ、当該開け口の一側と当該片状蓋体の対応側との間に面ファスナー[Velcro（登録商標）]が設けられ、当該面ファスナーで当該片状蓋体が当該縦向き支柱や当該横向き支柱を回られることで当該片状袋体がぶら下げられて定位される、ことを特徴とする保温効果を有する置物容器。
【請求項３】
前記面ファスナー[Velcro（登録商標）]は、面ファスナーフック状部材[Velcro（登録商標） hooks]と面ファスナーループ状部材[Velcro（登録商標） loops]とを備える、ことを特徴とする請求項1に記載の保温効果を有する置物容器。
【請求項４】
前記縦向き支柱と前記横向き支柱と、前記三方継手との連接部の中に、さらに外に押して支える力を提供するバネが設けられる、ことを特徴とする請求項1に記載の保温効果を有する置物容器。
【請求項５】
前記縦向き支柱が同じ軸線にある数が一つより多い場合に、各当該縦向き支柱の間に、さらに両側の当該縦向き支柱に同時に連接される中央支持部材が設けられ、当該中央支持部材は、頂端の両側の当該縦向き支柱の間にあって、且つ両方に連接される頂部T字形三方継手と、底端の両側の当該縦向き支柱の間にあって、且つ両方に連接される底部T字形三方継手と、当該頂部T字形三方継手と当該底部T字形三方継手との間に垂直に設けられる中央垂直支柱とを備え、
当該頂部T字形三方継手と当該底部T字形三方継手が当該縦向き支柱に連接される部分内にさらに外に押して支える力を提供する前記バネが設けられる、ことを特徴とする請求項1に記載の保温効果を有する置物容器。
【請求項６】
前記片状袋体は、高低温を耐える二片のナイロン(Nylon)及びポリエチレン(LLDPE)製プラスチック薄膜から張り合って組成され、当該片状袋体はさらに間隔に設けられる数条のヒートシールラインを有し、内部に液体が流れるための流道が成形される、ことを特徴とする請求項1に記載の保温効果を有する置物容器。
【請求項７】
前記一方向弁は、前記流道の一端内に設けられる位置決め片体と、
当該位置決め片体内に設けられ、且つ内側壁面に雌ねじを有する水入れ口と、
当該位置決め片体の底面に設けられ、当該水入れ口に対応し、且つ当該水入れ口に連通される環状突起部と、
当該環状突起部の底端部に設けられる漏れ防止リングと、
当該位置決め片体の底面に枢設され、当該環状突起部を密封して水を入れることを制御する弁片と、
当該弁片の軸に設けられ、当該弁片を当該環状突起部にしっかり密封するための少なくとも一つのねじりバネとを備え、
当該弁片の一側に、当該環状突起部を密封する弁蓋片が設けられ、当該弁片の他の一側に、当該ねじりバネを設置するための枢軸部が設けられ、当該位置決め片体が当該枢軸部に対応する位置に、当該位置決め片体と配合して枢接する枢軸定位座が設けられ、
当該一方向弁は、さらに前記水入れ口を密封するためのゴム製蓋体を備える、ことを特徴とする請求項6に記載の保温効果を有する置物容器。
【請求項８】
前記面ファスナー[Velcro（登録商標）]は、面ファスナーフック状部材[Velcro（登録商標） hooks]と面ファスナーループ状部材[Velcro（登録商標） loops]とを備える、ことを特徴とする請求項2に記載の保温効果を有する置物容器。
【請求項９】
前記縦向き支柱と前記横向き支柱と、前記三方継手との連接部の中に、さらに外に押して支える力を提供するバネが設けられる、ことを特徴とする請求項2に記載の保温効果を有する置物容器。
【請求項１０】
前記縦向き支柱が同じ軸線にある数が一つより多い場合に、各当該縦向き支柱の間に、さらに両側の当該縦向き支柱に同時に連接される中央支持部材が設けられ、当該中央支持部材は、頂端の両側の当該縦向き支柱の間にあって、且つ両方に連接される頂部T字形三方継手と、底端の両側の当該縦向き支柱の間にあって、且つ両方に連接される底部T字形三方継手と、当該頂部T字形三方継手と当該底部T字形三方継手との間に垂直に設けられる中央垂直支柱とを備え、
当該頂部T字形三方継手と当該底部T字形三方継手が当該縦向き支柱に連接される部分内にさらに外に押して支える力を提供する前記バネが設けられる、ことを特徴とする請求項2に記載の保温効果を有する置物容器。
【請求項１１】
前記片状袋体は、高低温を耐える二片のナイロン(Nylon)及びポリエチレン(LLDPE)製プラスチック薄膜から張り合って組成され、当該片状袋体はさらに間隔に設けられる数条のヒートシールラインを有し、内部に液体が流れるための流道が成形される、ことを特徴とする請求項2に記載の保温効果を有する置物容器。
【請求項１２】
前記一方向弁は、前記流道の一端内に設けられる位置決め片体と、
当該位置決め片体内に設けられ、且つ内側壁面に雌ねじを有する水入れ口と、
当該位置決め片体の底面に設けられ、当該水入れ口に対応し、且つ当該水入れ口に連通される環状突起部と、
当該環状突起部の底端部に設けられる漏れ防止リングと、
当該位置決め片体の底面に枢設され、当該環状突起部を密封して水を入れることを制御する弁片と、
当該弁片の軸に設けられ、当該弁片を当該環状突起部にしっかり密封するための少なくとも一つのねじりバネとを備え、
当該弁片の一側に、当該環状突起部を密封する弁蓋片が設けられ、当該弁片の他の一側に、当該ねじりバネを設置するための枢軸部が設けられ、当該位置決め片体が当該枢軸部に対応する位置に、当該位置決め片体と配合して枢接する枢軸定位座が設けられ、
当該一方向弁は、さらに前記水入れ口を密封するためのゴム製蓋体を備える、ことを特徴とする請求項11に記載の保温効果を有する置物容器。
【請求項１３】
前記開け口に、当該開け口の一側にさらにシールリブが設けられ、当該開け口の他の一側にシール係合溝が当該シールリブに対応して設けられる、ことを特徴とする請求項2に記載の保温効果を有する置物容器。
【考案の詳細な説明】
【技術分野】
【０００１】
本考案は、保温効果を有する置物容器に関し、特に携帯に便利であり、且つ保鮮及び保温することができる置物容器に関するものである。
【背景技術】
【０００２】
現在、普段に外出して携帯する或いは旅行用の保温袋[或いは箱]が、生鮮食品或いは飲み物を保鮮するように使われ、例えば携帯式保温旅行バッグ、或いは魚釣り用クーラーボックスであり、袋体[或いは箱体]の壁面内に、保温構造が含まれ、例えば断熱綿或いはポリスチレンであり、故に保温及び絶縁効果を有し、保冷或いは熱度を保持する時、袋[箱]内に主動的或いは受動的に温度を維持する設計がないので、保温効果が有限であり、故に長時間の保鮮効果が達成できない。
【考案の概要】
【考案が解決しようとする課題】
【０００３】
使用者は袋[箱]内に氷片や化学保冷袋を入れて保冷し、或いは熱水袋を入れて熱度を保持することがあるが、袋[箱]の底面に置くだけで、四周に置かれないので、袋[箱]の底部の冷たさや熱度が保持できるが、四周の温度が安定されることができなく、外と容易に熱交換が行われるので、保温或いは保鮮の効果がかなり有限である。
【０００４】
そこで、上記の問題点に対して、どうやって従来の欠点を改善し、長時間に保冷及び保鮮することができ、且つ化学保冷液体を使う必要がなく、漏れなく、保温効果を有する置物容器を提供することが本考案の課題となる。
【課題を解決するための手段】
【０００５】
本考案は、便利に携帯でき、且つ保鮮及び保温することができ、保温効果を有する置物容器を提供することを目的とする。
【０００６】
前記問題点を解決でき、上記目的を達成するために、本考案について二種の手段があり、第一種について、本考案の保温効果を有する置物容器は、置物容器内に容置空間が定義され、当該容置空間内に、位置決め空間を有する支持骨組み及び当該位置決め空間の中に設けられる保温装置が設けられ、当該支持骨組みは、当該位置決め空間を定義できる数個の縦向き支柱と、横向き支柱と、垂直支柱と、三方継手とを備え、当該横向き支柱が当該縦向き支柱の対応端の間に垂設され、当該垂直支柱が当該横向き支柱及び当該縦向き支柱に垂直にされ、当該三方継手が当該支持骨組みの各片隅に設けられ、且つ当該垂直支柱と、当該横向き支柱と、当該縦向き支柱と別々に連接され、当該保温装置に少なくとも一つの片状袋体と、当該片状袋体に対応して設けられる位置決め部材とを有し、当該片状袋体が液体を装填するために使われ、当該位置決め部材で当該片状袋体が当該位置決め空間の対応側面に移動されないように固定され、当該片状袋体の中に液体を収容するための流道を有し、且つ当該流道の一端に、液注入装置と配合して応用し、液体の出入を制御するための一方向弁が設けられ、当該位置決め部材は、当該片状袋体が当該縦向き支柱や当該横向き支柱の少なくとも一つの側辺に近くにある位置に設けられる片体部と、当該片体部が当該縦向き支柱や当該横向き支柱を回られることで当該片状袋体がぶら下げられて定位されるための一組の面ファスナー[Velcro(登録商標)]とを備える、ことを特徴とする。
【０００７】
第二種について、置物容器内に容置空間が定義され、当該容置空間内に、内部に位置決め空間を有する支持骨組みと、当該位置決め空間内に設けられる保温装置が設けられ、当該支持骨組みは、当該位置決め空間を定義するようにする数個の縦向き支柱と、横向き支柱と、垂直支柱と、三方継手とを備え、当該横向き支柱が当該縦向き支柱の対応端の間に垂設され、当該垂直支柱が当該横向き支柱及び当該縦向き支柱に垂直にされ、当該三方継手が当該支持骨組みの各片隅に設けられ、且つ当該垂直支柱と、当該横向き支柱と、当該縦向き支柱と別々に連接され、当該保温装置に少なくとも一つの片状袋体と、当該片状袋体に対応して設けられる位置決め部材とを有し、当該片状袋体が液体を装填するために使われ、当該位置決め部材で当該片状袋体が当該位置決め空間の対応側面に移動されないように固定され、当該片状袋体の中に液体を収容するための流道を有し、且つ当該流道の一端に、液注入装置と配合して応用し、液体の出入を制御するための一方向弁が設けられ、当該位置決め部材は、当該片状袋体を収容し、当該片状袋体を当該位置決め空間の対応側面に移動されないように固定し、且つ防水機能を有する数個の防水袋を備え、当該防水袋の一側の端に、開け口が設けられ、当該開け口に片状蓋体が設けられ、当該開け口の一側と当該片状蓋体の対応側との間に面ファスナー[Velcro（登録商標）]が設けられ、当該面ファスナーで当該片状蓋体が当該縦向き支柱や当該横向き支柱を回られることで当該片状袋体がぶら下げられて定位される、ことを特徴とする。
【０００８】
前記開け口に、当該開け口の一側にさらにシールリブが設けられ、当該開け口の他の一側にシール係合溝が当該シールリブに対応して設けられることが好ましい。
【０００９】
二種の手段の中に、前記面ファスナー[Velcro（登録商標）]は、面ファスナーフック状部材[Velcro（登録商標） hooks]と面ファスナーループ状部材[Velcro（登録商標） loops]とを備えることが好ましい。
【００１０】
二種の手段の中に、前記縦向き支柱と前記横向き支柱と、前記三方継手との連接部の中に、さらに外に押して支える力を提供するバネが設けられる、ことが好ましい。
【００１１】
二種の手段の中に、前記縦向き支柱が同じ軸線にある数が一つより多い場合に、各当該縦向き支柱の間に、さらに両側の当該縦向き支柱に同時に連接される中央支持部材が設けられ、当該中央支持部材は、頂端の両側の当該縦向き支柱の間にあって、且つ両方に連接される頂部T字形三方継手と、底端の両側の当該縦向き支柱の間にあって、且つ両方に連接される底部T字形三方継手と、当該頂部T字形三方継手と当該底部T字形三方継手との間に垂直に設けられる中央垂直支柱とを備え、当該頂部T字形三方継手と当該底部T字形三方継手が当該縦向き支柱に連接される部分内にさらに外に押して支える力を提供する前記バネが設けられることが好ましい。
【００１２】
二種の手段の中に、前記片状袋体は、高低温を耐える二片のナイロン(Nylon)及びポリエチレン(LLDPE)製プラスチック薄膜から張り合って組成され、当該片状袋体はさらに間隔に設けられる数条のヒートシールラインを有し、内部に液体が流れるための流道が成形されることが好ましい。
【００１３】
二種の手段の中に、前記一方向弁は、前記流道の一端内に設けられる位置決め片体と、当該位置決め片体内に設けられ、且つ内側壁面に雌ねじを有する水入れ口と、当該位置決め片体の底面に設けられ、当該水入れ口に対応し、且つ当該水入れ口に連通される環状突起部と、当該環状突起部の底端部に設けられる漏れ防止リングと、当該位置決め片体の底面に枢設され、当該環状突起部を密封して水を入れることを制御する弁片と、当該弁片の軸に設けられ、当該弁片を当該環状突起部にしっかり密封するための少なくとも一つのねじりバネとを備え、当該弁片の一側に、当該環状突起部を密封する弁蓋片が設けられ、当該弁片の他の一側に、当該ねじりバネを設置するための枢軸部が設けられ、当該位置決め片体が当該枢軸部に対応する位置に、当該位置決め片体と配合して枢接する枢軸定位座が設けられ、当該一方向弁は、さらに前記水入れ口を密封するためのゴム製蓋体を備えることが好ましい。
【００１４】
二種の手段の中に、前記液注入装置は、前記水入れ口に配合して螺接して外側壁面に雄ねじを有する中空状の接続頭部と、当該接続頭部の一端に設けられ、当該接続頭部と連通され、液体管路と連接するようになる液体容器と、当該接続頭部の他の一端に設けられ、当該接続頭部と連通され、前記弁蓋片を衝合するようになり、当該弁蓋片の開閉を制御するための頂管部とを備えることが好ましい。
【００１５】
二種の手段の中に、前記流道は、等間隔に設けられ、且つ液体を収容するための数個の液体収容室と、各個の当該液体収容室を相互に連通する液体通路とを備え、当該液体収容室の中の液体が当該液体通路を通過するために、当該液体収容室の隣にある当該液体収容室の中に流れることが好ましい。
【００１６】
二種の手段の中に、前記置物容器の内壁面に、内側の方向に向きって発泡ポリエチレン層と、当該発泡ポリエチレン層の表面に覆うアルミ箔反光耐熱層が順次に設けられることが好ましい。
【考案の効果】
【００１７】
本考案は、従来の技術と比べて、次に列挙する効果がある。
【００１８】
1.本考案は、支持骨組みと保温装置とを備え、このような分解式設計により、置物容器内に置き入れた後、支持骨組みで保温装置が支えられ、且つ置物容器の保温と、長時間の保鮮効果がさらによくなり、そして使った後、長時間に保冷や保鮮する必要がない場合に、支持骨組みや保温装置が取外され、一般的な置物容器[例えばバックバッグ、保温袋、旅行バッグ或いは置物箱]として使うようになり、そして保温装置が取外された後、収納することができ、且つ支持骨組みが分解されて収納されるようになり、保温装置から液体が排出された後、折畳んで収納することができ、空間を節約するようになる。
【００１９】
2. 本考案について、保温装置内の片状袋体が一方向弁で液体の輸入や排出することを制御するようになり、保冷する必要がある場合に、片状袋体に液体を輸入した後、冷凍室に静置し、液体が凍えて氷になった後、置物容器の容置空間内に移され、保冷や保鮮するように使われ、氷が液体になった後、液体がまた片状袋体の中にあり、片状袋体が再び取外されて冷凍室に移されて置いて冷凍され、こうして氷袋が再使用されることで、経済的で便利でエコロジカルな使用効果が達成される。
【００２０】
3. 本考案について、片状袋体は数条のヒートシールラインを有し、流道に成形するようになることにより、注水した片状袋体が片状に保持され、変形されなく、さらに折畳んで収納することができ、また片状袋体が数枚で連接された後、簡単に舗装でき、支持骨組みで片状袋体が位置決め空間内に定位されることができ、置物容器の内壁面にぴったりと付けられ、滑落するや緩むようにならなく、置物容器は底面以外に、四つの周壁に保温効果を有するようになり、且つ片状袋体の表面が直接に生鮮食品や飲み物に接触でき、さらによい保温効果が達成される。
【００２１】
4. 本考案について、この種類の一方向弁の設計により、液体の逆流で液体を充填する難度が増加することを避けることができ、液体の充填が終わった後、弁片とねじりバネとの配合を利用し、ねじりバネの弾力の運動エネルギーを運用し、水入れ口が自動的で素早く密封され、且つ液体が片状袋体に注入された後、弁片に圧力が発生され、全体の密封性がさらによくなり、且つ水入れ口がゴム製蓋体と配合され、第二水シール口が成形され、漏れることを心配する必要がない。
【図面の簡単な説明】
【００２２】
【図１】：本考案の第一実施形態を示す分解斜視図
【図２】：本考案の組み合わされた第一実施形態の部分を示す断面図
【図３】：本考案の支持骨組みの部分を示す分解斜視図
【図４】：本考案の支持骨組みを示す断面図
【図５】：本考案の別の支持骨組みが別の置物容器と配合される時の実施状態を示す図
【図６】：本考案の第二実施形態を示す分解斜視図
【図７】：本考案の組み合わされた第二実施形態の部分を示す断面図
【図８】：本考案の一方向弁及び液注入装置を示す斜視図
【図９】：本考案の一方向弁を示す分解斜視図
【図１０】：本考案の片状袋体に注水する時の実施状態を示す図
【図１１】：第10図a部分を示す断面図
【図１２】：第10図a部分の注水完了の状態を示す断面図
【考案を実施するための形態】
【００２３】
以下、本考案の実施の形態について、図面を参照して詳細に説明する。
【００２４】
図1乃至図5に示すように、本考案の第一実施状態であり、保温効果を有する置物容器は、置物容器100内に容置空間10が定義され、当該容置空間10内に、位置決め空間20を有する支持骨組み1及び当該位置決め空間20の中に設けられる保温装置2が設けられ、当該支持骨組み1は、当該位置決め空間20を定義できる数個の縦向き支柱11と、横向き支柱12と、垂直支柱13と、三方継手14とを備え、当該横向き支柱12が当該縦向き支柱11の対応端の間に垂設され、当該垂直支柱13が当該横向き支柱11及び当該縦向き支柱12に垂直にされ、当該三方継手14が当該支持骨組み1の各片隅に設けられ、且つ当該縦向き支柱11と、当該横向き支柱12と、当該垂直支柱13と別々に連接され、当該保温装置2に少なくとも一つの片状袋体21と、当該片状袋体21に対応して設けられる位置決め部材22とを有し、当該片状袋体21が液体を装填するために使われ、当該位置決め部材22で当該片状袋体21が当該位置決め空間20の対応側面201に移動されないように固定され、当該片状袋体21の中に液体を収容するための流道211を有し、且つ当該流道211の一端に、液注入装置200と配合して応用し、液体の出入を制御するための一方向弁23が設けられ、当該位置決め部材22は、当該片状袋体21が当該縦向き支柱11や当該横向き支柱12の少なくとも一つの側辺に近くにある位置に設けられる片体部221と、当該片体部221が当該縦向き支柱11や当該横向き支柱12を回られることで当該片状袋体21がぶら下げられて定位されるための一組の面ファスナーD[Velcro（登録商標）]とを備える、ことを特徴とする。
【００２５】
その中に、このような設置により、前記位置決め空間20を定義する前記縦向き支柱11と、前記横向き支柱12と、前記垂直支柱13と、前記三方継手14とを備える前記支持骨組み1で前記保温装置2が支えられ、当該位置決め空間20内に定位されることに便利であり、且つ前記片状袋体21と配合して当該保温装置2が組成され、前記容置空間10は保温の機能を有するようにされ、当該片状袋体21に入れる液体の温度の変化を制御することにより、保冷し、或いは熱度を保持し、前記置物容器100はさらに長時間の保温や保鮮の効果を提供するようになる。
【００２６】
また、前記片状袋体21内の液体が、浄水、塩水、冷凍剤などであり、浄水で実施する及び取ることが最も便利であり、水の比熱が多くの物質の比熱より大きいので、温度の変化が同じである時に、水がより多い熱量を吸収、放出でき、即ち、より多い熱量で水の温度は1℃の変化を発生するようになり、故に水が多くの物質よりさらに保温の機能を有し、生鮮食品、例えば各種の肉類、魚類、サンドイッチ、弁当などの食品が、前記容置空間10内に置かれた後、当該片状袋体21の温度を保持する作用で、長時間の保温、保鮮の効果が達成される。
【００２７】
なお、前記置物容器100を使わなく、前記片状袋体21を収納したい時、当該片状袋体21内の液体が、前記一方向弁23から排出され、そして折畳んで収納し、また使いたい時、再び液体を注入することができ、故に本考案が即時に使われるようになり、再利用でき、とてもエコロジカルで経済的で実用的である。
【００２８】
そして、前記片状袋体21の設置方式が、図1の設置方式のように以外、前記置物容器100の頂蓋部に設けられることもでき(図に示さない)、当該置物容器100の内部の六面は、長時間の保温効果を有するようになる。
【００２９】
図6と図7に示すように、本考案の第二実施状態であり、保温効果を有する置物容器は、置物容器100内に容置空間10が定義され、当該容置空間10内に、内部に位置決め空間20を有する支持骨組み1と、当該位置決め空間20内に設けられる保温装置2が設けられ、当該支持骨組み1は、当該位置決め空間20を定義するようにする数個の縦向き支柱11と、横向き支柱12と、垂直支柱13と、三方継手14とを備え、当該横向き支柱12が当該縦向き支柱11の対応端の間に垂設され、当該垂直支柱13が当該縦向き支柱11及び当該横向き支柱12に垂直にされ、当該三方継手14が当該支持骨組み1の各片隅に設けられ、且つ当該縦向き支柱11と、当該横向き支柱12と、当該垂直支柱13と別々に連接され、当該保温装置2に少なくとも一つの片状袋体21と、当該片状袋体21に対応して設けられる位置決め部材22とを有し、当該片状袋体21が液体を装填するために使われ、当該位置決め部材22で当該片状袋体21が当該位置決め空間20の対応側面201に移動されないように固定され、当該片状袋体21の中に液体を収容するための流道211を有し、且つ当該流道211の一端に、液注入装置200と配合して応用し、液体の出入を制御するための一方向弁23が設けられ、当該位置決め部材22は、当該片状袋体21を収容し、当該片状袋体21を当該位置決め空間20の対応側面201に移動されないように固定し、且つ防水機能を有する数個の防水袋5を備え、当該防水袋5の一側の端に、開け口51が設けられ、当該開け口51に片状蓋体52が設けられ、当該開け口51の一側と当該片状蓋体52の対応側との間に面ファスナーD[Velcro（登録商標）]が設けられ、当該面ファスナーDで当該片状蓋体52が当該縦向き支柱11や当該横向き支柱12を回られることで当該片状袋体21がぶら下げられて定位される、ことを特徴とする。
【００３０】
また、第二実施状態のメリットは、第一実施状態とほぼ同じであり、違いのは前記位置決め部材22の違いであり、前記防水袋5のを使うことにより、前記片状袋体21がいつでも組み立てられるや取外されることができ、取り替えることに便利であり、且つ当該片状袋体21の温度を再調整することに便利であり、再使用することに有利であり、そして前記支持骨組み1及び前記保温装置2を取外すことにより、前記置物容器100が一般的な置物容器として使われれ、応用方式がさらに多元化になる。
【００３１】
前記防水袋5の一側辺が前記片状袋体21を置き入れるための前記開け口51として保留しておき、且つ前記片状蓋体52と前記面ファスナーDとの配合により、前記位置決め空間20内に定位され、当該片状袋体21の中の氷は、熱量を吸収することで、だんだんと相転移が発生され、冷たい水に溶けた時、まだ当該片状袋体21の中に留めって失わなく、故に再利用でき、当該片状袋体21の外表面が熱空気と接触すると、水滴が産生され、水滴が当該防水袋5の中に残され、前記置物容器100内に流れなく、外に染み出し、故に水が外に染み出すことを防止するようになる。
【００３２】
前記開け口51に、当該開け口51の一側にさらにシールリブ511が設けられ、当該開け口51の他の一側にシール係合溝512が当該シールリブ511に対応して設けられる。
【００３３】
前記シールリブ511と前記シール係合溝512に配合して応用することにより、使用者は前記片状袋体21を置き入れた後、素早く前記開け口51を密封することができ、且つ水が外に染み出すことを有効に避け、開けることも同様に便利である。
【００３４】
上述の二種の実施状態の中に、前記面ファスナーD[Velcro（登録商標）]は、面ファスナーフック状部材D1[Velcro（登録商標） hooks]と面ファスナーループ状部材D2[Velcro（登録商標） loops]とを備える。
【００３５】
その中に、前記面ファスナーDの応用は、前記面ファスナーフック状部材D1で前記面ファスナーループ状部材D2に配合することにより、前記縦向き支柱11や前記横向き支柱12を回られ、前記片状袋体21がぶら下げられて定位されるように使われ、使用者は使うのに便利であり、そして当該面ファスナーフック状部材D1と当該面ファスナーループ状部材D2との設置方式は、図1に示す第一実施状態のように、当該面ファスナーフック状部材D1が前記片体部221の一端に設けられ、当該面ファスナーループ状部材D2が当該片体部221の別の一端に設けられ、もちろん交換されて設置されても構わなく、設置方式が需要によって変動されるようになり、また図6に示す第二実施形態のように、当該面ファスナーフック状部材D1が前記片状蓋体52の一端に設けられ、当該面ファスナーループ状部材D2が前記開け口51外側の対応する位置に設けられ、もちろん交換されて設置されても構わなく、設置方式が需要によって変動されるようになり、図6に示すような設置方式に制限されない。
【００３６】
上述の二種の実施状態の中に、前記縦向き支柱11と前記横向き支柱12と、前記三方継手14との連接部の中に、さらに外に押して支える力を提供するバネが設けられる。
【００３７】
その中に、前記置物容器100は軟式置物容器である場合に、前記バネ15を配合して応用することにより、当該置物容器100が外に支えられて広がられるようになり、このことによって当該置物容器100が容易に軟らかくならない以外に、さらに前記支持骨組み1が安定に当該置物容器100内に定位され、揺れることで分離されないようになる。
【００３８】
上述の二種の実施状態の中に、前記縦向き支柱11が同じ軸線にある数が一つより多い場合に、各当該縦向き支柱11の間に、さらに両側の当該縦向き支柱11に同時に連接される中央支持部材16が設けられ、当該中央支持部材16は、頂端の両側の当該縦向き支柱11の間にあって、且つ両方に連接される頂部T字形三方継手161と、底端の両側の当該縦向き支柱11の間にあって、且つ両方に連接される底部T字形三方継手162と、当該頂部T字形三方継手161と当該底部T字形三方継手162との間に垂直に設けられる中央垂直支柱163とを備え、当該頂部T字形三方継手161と当該底部T字形三方継手162が当該縦向き支柱11に連接される部分内にさらに外に押して支える力を提供する前記バネ15が設けられる。
【００３９】
その中に、前記中央支持部材16を応用するのは、前記頂部T字形三方継手161と前記底部T字形三方継手162と前記中央垂直支柱163とを配合することにより、前記縦向き支柱11が長すぎで前記片状袋体21を支えることができない問題が発生しなく、当該片状袋体21はさらに安定な支持を有するようになる。
【００４０】
また、前記バネ15を配合して応用することにより、前記頂部T字形三方継手161と前記底部T字形三方継手162が連接される前記縦向き支柱11は、同じに外に押して支える力を提供することができ、前記支持骨組み1が安定に当該置物容器100内に定位されるようになる。
【００４１】
上述の二種の実施状態の中に、図2及び図7に示すように、前記片状袋体21は、じん性が強く、高低温を耐える二片のナイロン(Nylon)及びポリエチレン(LLDPE)製プラスチック薄膜から貼り合って組成され、当該片状袋体21はさらに間隔に設けられる数条のヒートシールライン24を有し、内部に液体が流れるための流道211が成形される。
【００４２】
その中に、ナイロン(Nylon)及びポリエチレン(LLDPE)製プラスチック薄膜が、複合材質のプラスチック薄膜で、高密度のプラスチック布であり、前記片状袋体21の強度が確保でき、持久で耐用であり、水が容易に漏れることがない。
【００４３】
また、前記流道211内に液体が満ちた後、間隔に設けられる数条の前記ヒートシールライン24が、一本一本の水袋に構成され、前記片状袋体21が実施される時に自在に曲げられるようになり、前記支持骨組み1に便利に配合して調整し、任意の形体の前記置物容器100内に調整して置くようになる。
【００４４】
上述の二種の実施状態の中に、図8乃至図12に示すように、前記一方向弁23は、前記流道211の一端内に設けられる位置決め片体231と、当該位置決め片体231内に設けられ、且つ内側壁面に雌ねじを有する水入れ口232と、当該位置決め片体231の底面に設けられ、当該水入れ口232に対応し、且つ当該水入れ口232に連通される環状突起部233と、当該環状突起部233の底端部に設けられる漏れ防止リング234と、当該位置決め片体231の底面に枢設され、当該環状突起部233を密封して水を入れることを制御する弁片235と、当該弁片235の枢軸部に設けられ、当該弁片235を当該環状突起部233にしっかり密封するための少なくとも一つのねじりバネ236とを備え、当該弁片235の一側に、当該環状突起部233を密封する弁蓋片2351が設けられ、当該弁片235の他の一側に、当該ねじりバネ236を設置するための枢軸部2352が設けられ、当該位置決め片体231が当該枢軸部2352に対応する位置に、当該位置決め片体231と配合して枢接する枢軸定位座2311が設けられる。前記一方向弁23は、さらに前記水入れ口232を密封するためのゴム製蓋体25を備える。
【００４５】
その中に、このような設置の前記一方向弁23は、従来の一方向弁と同じではなく、構造が簡潔であり、前記弁片235と前記ねじりバネ236との配合で、当該ねじりバネ236の弾力の運動エネルギーを運用することにより、前記水入れ口232が自動的で素早く密封されることができ、且つ前記流道211内に設けられる当該弁片235が、液体が当該流道211内にある時、液体が前記弁蓋片2351に圧力を発生させ、当該弁蓋片2351を前記環状突起部233に緊密に接触させるように迫り、当該ねじりバネ236の圧力も加え、液体が漏れないようになる。
【００４６】
なお、前記水入れ口232の設置により、前記液注入装置200に連接されるのに便利であり、前記漏れ防止リング234の設置により、液体が前記環状突起部233と前記弁蓋片2351との間の隙から流れ出さないようになり、前記一方向弁23の密閉度が確保できる。
【００４７】
そして、さらに前記ゴム製蓋体25の応用により、第二水シール口が成形され、密封作用が高められ、漏れの問題が決して発生しない。
【００４８】
上述の二種の実施状態の中に、図8と図10と図11に示すように、前記液注入装置200は、前記水入れ口232に配合して螺接して外側壁面に雄ねじを有する中空状の接続頭部Aと、当該接続頭部Aの一端に設けられ、当該接続頭部Aと連通され、液体管路300と連接するようになる液体容器Bと、当該接続頭部Aの他の一端に設けられ、当該接続頭部Aと連通され、前記弁蓋片2351を衝合するようになり、当該弁蓋片2351の開閉を制御するための頂管部Cとを備える。
【００４９】
その中に、この種類の前記液注入装置200の応用することにより、前記接続頭部Aと前記水入れ口232との配合により、液体が連接処から漏れ出さないようになり、前記液体管路300を利用することにより、液体が前記片状袋体21の中に注入し続けられ、頂管部Cが設置されることが、当該接続頭部Aをねじ込むことと配合されることにより、前記弁蓋片2351が有効に押し開けられ、当該水入れ口232と当該片状袋体21が連通され、液体が当該片状袋体21の中に入れるようになり、逆に言えば、当該接続頭部Aを外すことと、前記ねじりバネ236の弾力と配合され、液体の圧力を加え、当該弁蓋片2351が自動的で素早く閉じ、当該水入れ口232と当該片状袋体21が連通されないようになり、液体が当該片状袋体21から流れ出さないようにする。
【００５０】
上述の二種の実施状態の中に、前記流道211は、図1及び図6に示すように、等間隔に設けられ、且つ液体を収容するための数個の液体収容室2111と、各個の当該液体収容室2111を相互に連通する液体通路2112とを備え、当該液体収容室2111の中の液体が当該液体通路2112を通過するために、当該液体収容室2111の隣にある当該液体収容室2111の中に流れる。
【００５１】
その中に、このような前記液体収容室2111と前記液体通路2112との設置により、違う温度の流体を含む当該液体収容室2111が、当該液体通路2112で対流を発生させるようになり、つまり熱い区域と冷たい区域との流体が対流され、外部の温度が有効に下げられるや保持されるようになり、且つ当該液体収容室2111の配置により、前記片状袋体21の保温効率が高められる。
【００５２】
また、前記液体収容室2111及び前記液体通路2112の設置により、さらに液体が充満された後に、回流の速度が下げられ、前記一方向弁23から漏れられる可能性が下げられる。
【００５３】
上述の二種の実施状態の中に、前記置物容器100の内壁面に、内側の方向に向きって発泡ポリエチレン層3と、当該発泡ポリエチレン層3の表面に覆うアルミ箔反光耐熱層4が順次に、図2に示すように、設けられる。
【００５４】
その中に、前記発泡ポリエチレン層3によって外界と熱交換が行われることが低減され、前記アルミ箔反光耐熱層4で熱輻射が反射されるようになり、熱輻射で造成される熱量の流失がさらに減少され、両方の配合で、保温の作用を達成するようになり、且つ全体的に、両方の配合は材料が軟らかくて軽便であり、さらに設置及び生産することに便利であり、且つ無味無毒であり、環境に危害を加えるようにならなく、消費者は安全で安心に使用ことができる。
【００５５】
なお、前記置物容器100が軟式の設置で、ショルダーバッグ体である時、前記発泡ポリエチレン層3の外側面、つまり当該置物容器100外側の壁面が、ナイロン布である。
【００５６】
上述の二種の実施状態の中に、前記置物容器100は、需要により、異なる形式の当該置物容器100が提供でき、ショルダーバッグ体であろうとも、背負い式袋体であろうとも、或いは箱体であろうとも、軟式の当該置物容器100であろうとも、硬式の当該置物容器100であろうとも、消費者の応用需要に合うようになり、消費者が満足できる。
【００５７】
上述の二種の実施状態の中に、前記一方向弁23が、前記液体収容室2111の中の一つの当該液体収容室2111に連接される。
【００５８】
その中に、前記一方向弁23が前記液体収容室2111に設けられ、液体で充満されるようになり、液体が当該液体収容室2111内から、外に流れて当該液体収容室2111と連通する別の一つの当該液体収容室2111内に流れるようになる。
【００５９】
また、前記一方向弁23がどの位置の前記液体収容室2111に設けられるのは、需要によって決められる。
【００６０】
上述の二種の実施状態の中に、前記保温装置2の中の前記片状袋体21は、数個の当該片状袋体2a~2eを備え、、各当該片状袋体21の間の状態は、分離式水袋であり(図1、図6に示すように)、また連体式水袋であり(図に示さない)、連体式水袋である場合に、各当該片状袋体21の間に、プラスチック薄膜が一体成型である方式で連接される。
【００６１】
最後に説明すべきのは、前記片状袋体21の実施する形状は制限がなく、前記置物容器100の内表面20に対応できるのがよくて、例えば矩形、円形、楕円形、渦状などの各種の造型でも、全部が貯液氷袋として使われる。
【００６２】
本考案は構造が簡単で、製造することが容易であり、コストが低く、また経済的でエコロジカルだので、本考案は産業についてとても高い利用価値がある。
【００６３】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００６４】
1           支持骨組み           2351  弁蓋片
11          縦向き支柱           2352  枢軸部
12          横向き支柱           236   ねじりバネ
13          垂直支柱             24    ヒートシールライン
14          三方継手             25    ゴム製蓋体
15          バネ                 3     発泡ポリエチレン層
16          中央支持部材         4     アルミ箔反光耐熱層
161         頂部T字形三方継手    5     防水袋
162         底部T字形三方継手    51    開け口
163         中央垂直支柱         511   シールリブ
2           保温装置             512   シール係合溝
21、21a~21e 片状袋体             52    片状蓋体
211         流道                 10    容置空間
2111        液体収容室           20    位置決め空間
2112        液体通路             201   対応側面
22          位置決め部材         100   置物容器
221         片体部               200   液注入装置
23          一方向弁             A     接続頭部
231         位置決め片体         B     液体接続頭部
2311        枢軸定位座           C     頂管部
232         水入れ口             D     面ファスナー
233         環状突起部           D1    面ファスナーフック状部                                                          材
234         漏れ防止リング       D2    面ファスナーループ状部
材
235         弁片
【図１】
0003197692.tif 000003
【図２】
0003197692.tif 000004
【図３】
0003197692.tif 000005
【図４】
0003197692.tif 000006
【図５】
0003197692.tif 000007
【図６】
0003197692.tif 000008
【図７】
0003197692.tif 000009
【図８】
0003197692.tif 000010
【図９】
0003197692.tif 000011
【図１０】
0003197692.tif 000012
【図１１】
0003197692.tif 000013
【図１２】
0003197692.tif 000014
【手続補正書】
【提出日】平成27年3月30日(2015.3.30)
【手続補正１】
【補正対象書類名】実用新案登録請求の範囲
【補正対象項目名】全文
【補正方法】変更
【補正の内容】
【実用新案登録請求の範囲】
【請求項１】
置物容器内に容置空間が定義され、
当該容置空間内に、位置決め空間を有する支持骨組みと、当該位置決め空間の中に設けられる保温装置が設けられ、
当該支持骨組みは、当該位置決め空間を定義できる数個の縦向き支柱と、横向き支柱と、垂直支柱と、三方継手とを備え、当該横向き支柱が当該縦向き支柱の対応端の間に垂設され、当該垂直支柱が当該横向き支柱及び当該縦向き支柱に垂直にされ、当該三方継手が当該支持骨組みの各片隅に設けられ、且つ当該垂直支柱と、当該横向き支柱と、当該縦向き支柱と別々に連接され、
当該保温装置に少なくとも一つの片状袋体と、当該片状袋体に対応して設けられる位置決め部材とを有し、当該片状袋体が液体を装填するために使われ、当該位置決め部材で当該片状袋体が当該位置決め空間の対応側面に移動されないように固定され、当該片状袋体の中に液体を収容するための流道を有し、且つ当該流道の一端に、液注入装置と配合して応用し、液体の出入を制御するための一方向弁が設けられ、
当該位置決め部材は、当該片状袋体が当該縦向き支柱や当該横向き支柱の少なくとも一つの側辺に近くにある位置に設けられる片体部と、当該片体部が当該縦向き支柱や当該横向き支柱を回られることで当該片状袋体がぶら下げられて定位されるための一組の面ファスナーとを備える、ことを特徴とする保温効果を有する置物容器。
【請求項２】
置物容器内に容置空間が定義され、
当該容置空間内に、内部に位置決め空間を有する支持骨組みと、当該位置決め空間内に設けられる保温装置が設けられ、
当該支持骨組みは、当該位置決め空間を定義するようにする数個の縦向き支柱と、横向き支柱と、垂直支柱と、三方継手とを備え、当該横向き支柱が当該縦向き支柱の対応端の間に垂設され、当該垂直支柱が当該縦向き支柱及び当該横向き支柱に垂直にされ、当該三方継手が当該支持骨組みの各片隅に設けられ、且つ当該縦向き支柱と、当該横向き支柱と、当該垂直支柱と別々に連接され、
当該保温装置に少なくとも一つの片状袋体と、当該片状袋体に対応して設けられる位置決め部材とを有し、当該片状袋体が液体を装填するために使われ、当該位置決め部材で当該片状袋体が当該位置決め空間の対応側面に移動されないように固定され、当該片状袋体の中に液体を収容するための流道を有し、且つ当該流道の一端に、液注入装置と配合して応用し、液体の出入を制御するための一方向弁が設けられ、
当該位置決め部材は、当該片状袋体を収容し、当該片状袋体を当該位置決め空間の対応側面に移動されないように固定し、且つ防水機能を有する数個の防水袋を備え、当該防水袋の一側の端に、開け口が設けられ、当該開け口に片状蓋体が設けられ、当該開け口の一側と当該片状蓋体の対応側との間に面ファスナーが設けられ、当該面ファスナーで当該片状蓋体が当該縦向き支柱や当該横向き支柱を回られることで当該片状袋体がぶら下げられて定位される、ことを特徴とする保温効果を有する置物容器。
【請求項３】
前記面ファスナーは、面ファスナーフック状部材と面ファスナーループ状部材とを備える、ことを特徴とする請求項1に記載の保温効果を有する置物容器。
【請求項４】
前記縦向き支柱と前記横向き支柱と、前記三方継手との連接部の中に、さらに外に押して支える力を提供するバネが設けられる、ことを特徴とする請求項1に記載の保温効果を
有する置物容器。
【請求項５】
前記縦向き支柱が同じ軸線にある数が一つより多い場合に、各当該縦向き支柱の間に、さらに両側の当該縦向き支柱に同時に連接される中央支持部材が設けられ、当該中央支持部材は、頂端の両側の当該縦向き支柱の間にあって、且つ両方に連接される頂部T字形三方継手と、底端の両側の当該縦向き支柱の間にあって、且つ両方に連接される底部T字形三方継手と、当該頂部T字形三方継手と当該底部T字形三方継手との間に垂直に設けられる中央垂直支柱とを備え、
当該頂部T字形三方継手と当該底部T字形三方継手が当該縦向き支柱に連接される部分内にさらに外に押して支える力を提供する前記バネが設けられる、ことを特徴とする請求項1に記載の保温効果を有する置物容器。
【請求項６】
前記片状袋体は、高低温を耐える二片のナイロン(Nylon)及びポリエチレン(LLDPE)製プラスチック薄膜から張り合って組成され、当該片状袋体はさらに間隔に設けられる数条のヒートシールラインを有し、内部に液体が流れるための流道が成形される、ことを特徴とする請求項1に記載の保温効果を有する置物容器。
【請求項７】
前記一方向弁は、前記流道の一端内に設けられる位置決め片体と、
当該位置決め片体内に設けられ、且つ内側壁面に雌ねじを有する水入れ口と、
当該位置決め片体の底面に設けられ、当該水入れ口に対応し、且つ当該水入れ口に連通される環状突起部と、
当該環状突起部の底端部に設けられる漏れ防止リングと、
当該位置決め片体の底面に枢設され、当該環状突起部を密封して水を入れることを制御する弁片と、
当該弁片の軸に設けられ、当該弁片を当該環状突起部にしっかり密封するための少なくとも一つのねじりバネとを備え、
当該弁片の一側に、当該環状突起部を密封する弁蓋片が設けられ、当該弁片の他の一側に、当該ねじりバネを設置するための枢軸部が設けられ、当該位置決め片体が当該枢軸部に対応する位置に、当該位置決め片体と配合して枢接する枢軸定位座が設けられ、
当該一方向弁は、さらに前記水入れ口を密封するためのゴム製蓋体を備える、ことを特徴とする請求項6に記載の保温効果を有する置物容器。
【請求項８】
前記面ファスナーは、面ファスナーフック状部材と面ファスナーループ状部材とを備える、ことを特徴とする請求項2に記載の保温効果を有する置物容器。
【請求項９】
前記縦向き支柱と前記横向き支柱と、前記三方継手との連接部の中に、さらに外に押して支える力を提供するバネが設けられる、ことを特徴とする請求項2に記載の保温効果を有する置物容器。
【請求項１０】
前記縦向き支柱が同じ軸線にある数が一つより多い場合に、各当該縦向き支柱の間に、さらに両側の当該縦向き支柱に同時に連接される中央支持部材が設けられ、当該中央支持部材は、頂端の両側の当該縦向き支柱の間にあって、且つ両方に連接される頂部T字形三方継手と、底端の両側の当該縦向き支柱の間にあって、且つ両方に連接される底部T字形三方継手と、当該頂部T字形三方継手と当該底部T字形三方継手との間に垂直に設けられる中央垂直支柱とを備え、
当該頂部T字形三方継手と当該底部T字形三方継手が当該縦向き支柱に連接される部分内にさらに外に押して支える力を提供する前記バネが設けられる、ことを特徴とする請求項2に記載の保温効果を有する置物容器。
【請求項１１】
前記片状袋体は、高低温を耐える二片のナイロン(Nylon)及びポリエチレン(LLDPE)製プラスチック薄膜から張り合って組成され、当該片状袋体はさらに間隔に設けられる数条のヒートシールラインを有し、内部に液体が流れるための流道が成形される、ことを特徴とする請求項2に記載の保温効果を有する置物容器。
【請求項１２】
前記一方向弁は、前記流道の一端内に設けられる位置決め片体と、
当該位置決め片体内に設けられ、且つ内側壁面に雌ねじを有する水入れ口と、
当該位置決め片体の底面に設けられ、当該水入れ口に対応し、且つ当該水入れ口に連通される環状突起部と、
当該環状突起部の底端部に設けられる漏れ防止リングと、
当該位置決め片体の底面に枢設され、当該環状突起部を密封して水を入れることを制御する弁片と、
当該弁片の軸に設けられ、当該弁片を当該環状突起部にしっかり密封するための少なくとも一つのねじりバネとを備え、
当該弁片の一側に、当該環状突起部を密封する弁蓋片が設けられ、当該弁片の他の一側に、当該ねじりバネを設置するための枢軸部が設けられ、当該位置決め片体が当該枢軸部に対応する位置に、当該位置決め片体と配合して枢接する枢軸定位座が設けられ、
当該一方向弁は、さらに前記水入れ口を密封するためのゴム製蓋体を備える、ことを特徴とする請求項11に記載の保温効果を有する置物容器。
【請求項１３】
前記開け口に、当該開け口の一側にさらにシールリブが設けられ、当該開け口の他の一側にシール係合溝が当該シールリブに対応して設けられる、ことを特徴とする請求項2に記載の保温効果を有する置物容器。